(57)【要約】【課題】ローラーリンクの円筒状ローラーと連結ピンとの間に油やゴミが入り込むことが防止され、以てそれらが入り込むことによる回転不良が起こりにくく、運転寿命が延びると共にメンテナンスコストを削減し得るテンタークリップその他の用途のチェーンに利用し得るチェーン構成要素を提供することを課題とする。【解決手段】ローラーリンク１と、２つのローラーリンク１を連結するピンリンク８と、前記ローラーリンク１を前記ピンリンク８に軸支させるための連結ピン５とから成るチェーン構成要素において、前記ローラーリンク１のローラー３の内周面上下に、前記連結ピン５の外周面に密着するＯリング６を嵌め付けたことを特徴とする。【選択図】        図１
2004245301.tif 000002
【特許請求の範囲】
【請求項１】
ローラーリンクと、２つのローラーリンクを連結するピンリンクと、前記ローラーリンクを前記ピンリンクに軸支させるための連結ピンとから成り、前記ローラーリンクのローラーの内周面上下に、前記連結ピンの外周面に密着するＯリングを嵌め付けたことを特徴とするチェーン構成要素。
【請求項２】
前記連結ピンの外周面と前記連結ピンを挿入する前記ローラーリンクのローラーの内周面の一方又は双方に、エンジニアリングプラスチック層を設けた請求項１に記載のチェーン構成要素。
【請求項３】
前記エンジニアリングプラスチック層がポリイミド層である請求項２に記載のチェーン構成要素。
【発明の詳細な説明】
【０００１】
【発明の属する技術分野】
本発明は、チェーン構成要素、より詳細には、布帛物や合成樹脂フィルム等を熱処理、延伸処理するテンターにおいて、布帛物等を握持するクリップを装着するテンタークリップ用チェーンとして、あるいは、その他種々の用途のチェーンに用いることができるチェーン構成要素に関するものである。
【０００２】
【従来の技術】
チェーンは一般に、ローラーリンク１１とピンリンク１８を連結ピン１５を介して交互に連結していくことにより構成される（図３）。ピンリンク１８を構成する２枚のピンリンクプレート１９、１９はローラーリンク１１を挾むように配置され、両リンク１１、１８の重合部に連結ピン１５が挿入されることにより両リンク１１、１８が連結される。そして、ピンリンク１８とローラーリンク１１は相互に回動自在（実際にはピンリンク１８と一体となった連結ピン１５を軸にローラーリンク１１の方が回動する。）となっている。
【０００３】
一般に、かかる構成のチェーン構成要素においては、連結ピン１５のローラー１３内におけるスムーズな回転を確保すると共に、チェーンの伸びを防止するために、連結ピン１５に耐熱グリースが塗布されるが、その場合、グリースの供給、保守管理作業等が必要となり、その分加工コストとメンテナンスコストが嵩むという欠点がある。
【０００４】
この欠点を克服するために、本願出願人は、グリースを用いることなく連結ピンの耐摩耗性を確保でき、チェーンの伸びがなく、組立、分解、洗浄が容易なテンタークリップ等用チェーン構成要素を提唱している（特開２０００ー２４０７３４号公報）。それは、連結ピン１５の外周面と連結ピン１５を挿入するローラーリンク１１のローラー１３の内周面の一方又は双方に、エンジニアリングプラスチック層、好ましくは、ポリイミド層を設けたことを特徴とするものである。
【０００５】
この従来のチェーン構成要素の場合、ローラーリンク１１において、円筒状ローラー１３と、そこに挿入される連結ピン１５との間に油やゴミ等が入り込むために、回転状態が不良となり、メンテナンスの頻度が多くなるという問題があった。
【０００６】
【発明が解決しようとする課題】
本発明は、従来のチェーン構成要素における上記問題点を解決するためになされたもので、ローラーリンクの円筒状ローラーと連結ピンとの間に油やゴミが入り込むことが防止され、以てそれらが入り込むことによる回転不良が起こりにくく、運転寿命が延びると共にメンテナンスコストを削減し得るテンタークリップその他の用途のチェーンに利用し得るチェーン構成要素を提供することを課題とする。
【０００７】
【課題を解決するための手段】
上記課題を解決するための本発明に係るチェーン構成要素は、ローラーリンクと、２つのローラーリンクを連結するピンリンクと、前記ローラーリンクを前記ピンリンクに軸支させるための連結ピンとから成り、前記ローラーリンクのローラーの内周面上下に、前記連結ピンの外周面に密着するＯリングを嵌め付けたことを特徴とする。
【０００８】
好ましくは、前記連結ピンの外周面と前記連結ピンを挿入する前記ローラーリンクのローラーの内周面の一方又は双方に、エンジニアリングプラスチック層を設け、前記エンジニアリングプラスチック層をポリイミド層とする。
【０００９】
【発明の実施の形態】
本発明の実施の形態を図１及び２に依拠して説明する。図中１はローラーリンクで、上下一対のローラーリンクプレート２、２と、ローラーリンクプレート２、２を所定間隔を置いて結合する一対の円筒状ローラー３、３とから成る。ローラーリンクプレート２の左右両側には、ローラー３を嵌合固定するローラー嵌合孔４が透設される。各ローラー３内には連結ピン５が回転自在に嵌挿される。
【００１０】
ローラー３の内周面上下に、Ｏリング６、６が嵌め付けられる。このＯリング６、６が、ローラー３内に挿入される連結ピン５の外周面に密着し、その接触部分をシールする。かくして、ローラー３と連結ピン５との間に油やゴミが入り込み、回転不良を惹起することが防止される。
【００１１】
連結ピン５の外周面（ローラー３との摺動面のみでよい）及び／又はローラー３の内周面に、エンジニアリングプラスチック層として、好ましくは、全芳香族ポリイミド（例えば、デュポン社の製品名「ベスペル」）の層を設ける。
【００１２】
ローラーリンク１には連結ピン５を介してピンリンク８が連結される。ピンリンク８は、ローラーリンク１を挾むようにして配置される一対のピンリンクプレート９、９で構成される。ピンリンクプレート９の両側には連結ピン設置孔１０が透設され、そこに、ローラー３に挿通した状態の連結ピン５が嵌合固定される。かくしてローラーリンク１とピンリンク８が交互に連結され、チェーンが構成される。そして、ローラーリンク１は、ピンリンク８と一体化される連結ピン５を軸に回動可能となる。テンターの場合は、図示してないが、ピンリンク８に、布帛物等を握持するクリップが固定される。
【００１３】
【発明の効果】
本発明は上述した通りであって、本発明によれば、ローラーリンクの円筒状ローラーと連結ピンとの間に油やゴミが入り込むことが防止され、以てそれらが入り込むことによる回転不良が起こりにくく、運転寿命が延びると共にメンテナンスコストを削減することができ、テンタークリップ用チェーンとしてだけでなく、その他種々の用途のチェーンに採用し得る効果がある。
【図面の簡単な説明】
【図１】本発明に係るチェーン構成要素の実施形態の構成を示す部分断面図である。
【図２】本発明に係るチェーン構成要素の実施形態の構成を示す平面図である。
【図３】従来のチェーン構成要素の構成を示す部分断面図である。
【符号の説明】
１  ローラーリンク
２  ローラーリンクプレート
３  円筒状ローラー
４  ローラー嵌合孔
５  連結ピン
６  Ｏリング
８  ピンリンク
９  ピンリンクプレート
１０  連結ピン設置孔
【図１】
2004245301.tif 000003
【図２】
2004245301.tif 000004
【図３】
2004245301.tif 000005